(57)【要約】【課題】小型化された画像読取装置を提供すること。【解決手段】透過原稿をプラテンガラス上に固定するためのフィルムガイドと、該画像読取装置の内部には、密着型イメージセンサを搭載し、プラテンガラスの裏面に密着しつつ走査しながらプラテンガラス上の原稿を読み取るキャリッジユニットを有し、該キャリッジユニットの、密着型イメージセンサの配置された位置の、密着型イメージセンサの長手方向に略半分の片側は、プラテンガラスと垂直方向において、センサと、それに密着する部品のみを配置し、他の部品は反対側に配置することにより、装置本体の略半分を薄くして、装置本体の底板の下の薄い部分に、フィルムガイドを収納する場所を設ける。【選択図】図１
2006195300.tif 000002
【特許請求の範囲】
【請求項１】
プラテンガラス上の反射原稿、透過原稿を読み取る、密着型イメージセンサを用いた画像読取装置において、
透過原稿をプラテンガラス上に固定するためのフィルムガイドと、
該画像読取装置の内部には、密着型イメージセンサを搭載し、プラテンガラスの裏面に密着しつつ走査しながらプラテンガラス上の原稿を読み取るキャリッジユニットを有し、
該キャリッジユニットの、密着型イメージセンサの配置された位置の、密着型イメージセンサの長手方向に略半分の片側は、プラテンガラスと垂直方向において、センサと、それに密着する部品のみを配置し、他の部品は反対側に配置することにより、装置本体の略半分を薄くして、装置本体の底板の下の薄い部分に、フィルムガイドを収納する場所を設けたことを特徴とする画像読取装置。
【発明の詳細な説明】
【技術分野】
【０００１】
本発明は、プラテンガラス上の原稿を読み取る画像読取装置に関するものである。
【背景技術】
【０００２】
従来、密着型イメージセンサを用いた画像読取装置は、密着型イメージセンサの下に、長手方向全域に、イメージセンサを支える台（以下、支持台）が配置され、画像読取装置本体の厚みは、最低でも、（プラテンガラス＋密着型センサ＋隙間＋支持台の厚み＋隙間＋枠体の厚み＋他の部品の厚み）は、必要であった。
【０００３】
又、画像読取装置の部品を照明ユニット内に収納する技術に関し、特許文献１が開示されている。
【０００４】
【特許文献１】特許第３１６３７５５号公報
【発明の開示】
【発明が解決しようとする課題】
【０００５】
しかしながら、従来の画像読取装置は、全域において厚いので、底板の下にフィルムガイド等を収納しようとすると、全体にフィルムガイドの厚み分厚くなってしまうという問題があった。
【０００６】
本発明は、上記問題に鑑みてなされたもので、その目的とする処は、小型化された画像読取装置を提供することである。
【課題を解決するための手段】
【０００７】
本発明は、イメージセンサの長手方向略半分の厚みを（プラテンガラス＋密着型センサ+隙間+枠体の厚み）にすることにより、画像読取装置の略半分を薄くして、薄い部分にフィルムガイドの収納手段を設けたことにより、装置全体の小型化を図ったものである。
【発明の効果】
【０００８】
本発明によれば、イメージセンサの長手方向略半分の厚みを（プラテンガラス＋密着型センサ＋隙間＋枠体の厚み）にすることにより、画像読取装置の略半分を薄くして、薄い部分に、フィルムガイドの収納手段を設けたことにより、装置全体の小型化することができた。
【発明を実施するための最良の形態】
【０００９】
次に、本発明の画像読取装置の一実施形態について、図１〜図６を参照して説明する。
【００１０】
図１は本実施形態に係るカラー画像読取装置の構成模式図である。同図に示すように、装置本体１の上面に取り付けられた原稿台ガラス２上に原稿をセットし、コンタクトイメージセンサ３を原稿台ガラス２に平行に走査することにより、原稿に記載された画像を読み取る。
【００１１】
尚、コンタクトイメージセンサ３は、図２に示すように、その内部には原稿照射用の光源である三色のＬＥＤ３Ｒ、３Ｇ、３Ｂ、原稿からの反射光をイメージセンサの受光素子上に結像するロッドレンズアレイ３Ｌ及びイメージセンサ３Ｓが組込まれている。３色の光源を順次切り替えて点灯し、イメージセンサが各色ごとの原稿からの反射光を読み取ることにより、色分解読み取りをする。
【００１２】
前記コンタクトイメージセンサ３は、センサホルダー１０３に軸支され、図４（図１のＡ−Ａ部分の断面図）に示すように、センサホルダー１０３上に位置決めされたバネ１０４により、摺動性の良い材質から成るスペーサ１０１、１０２を介して、原稿台ガラス２に圧接されている。
【００１３】
センサホルダー１０３は、図１に示すように、装置本体１に固定されたガイドシャフト４上を摺動するスライダ５上に固定支持される。（図５に示す、センサ３、センサホルダー１０３、バネ１０４、スライダ５等、スライダと一体化されたユニットを、以下、キャリッジ５０１と呼ぶ）。
【００１４】
又、スライダ５には、走査駆動源であるモータからの動力を伝達するベルト１５が固定される。モータの正逆回転により、キャリッジ５０１は原稿台ガラス２の範囲の往復走査が可能になっている。又、センサ３の電気的入出力のためのフレキケーブル１０５は、片側をセンサ３に接続され、画像読取装置本体のコントロールボード（図示せず）に、反対側を接続されている。
【００１５】
図４に示すように、装置本体１は、スライダ５の走査する位置の、図中右側は、センサとクリアランス分だけ離した位置まで、薄く構成されていて、その位置に装置本体１から出る突起１ａ、１ｂがあり、フィルムガイド１２０を収納できるようになっている。即ち、フィルムガイドが配置された側の、本体の内部部品の厚み方向は、センサと、それに密着する部品の合計が最大厚みであり、他に必要な部品はその高さに収まるもののみ並列に配置した。この部分の装置本体１の厚みは（原稿台ガラス＋密着型センサ＋センサに密着する部品＋隙間＋枠体）のみである。
【００１６】
図６に示すように、フィルムガイドを収納する時は、ユーザーは画像読取装置を裏返し、突起１ｂにフィルムガイドを挿入し、突起１ａに、上からフィルムガイドを押し入れる。画像読取装置の足１１０、１１１は、突起１ａ、１ｂよりも高く設定されていて、画像読取装置を設置した時、ゴム足が台に当たることにより、フィルムガイドは台には接触しない。
【００１７】
画像読取装置の構成要素には、上記の他にコントロールボードや電源から成る電装部がある。これらの構成要素は、原稿台ガラスを固定支持する装置本体１の中に配置されている。
【００１８】
又、原稿台ガラス２上には、原稿をガラス上に押圧するためのカバー部材としての原稿カバー６がヒンジ７を介して装置本体１に開閉可能に取り付けられている。又、原稿カバー内面の原稿台ガラス２と対向する面には、シート部材８ａと弾性部材８ｂから成る原稿圧着シート８が貼り付けられている。
【００１９】
図３は画像読取装置による読取画像データ処理ブロック図である。
【００２０】
順次点滅するＬＥＤと同期してイメージセンサ３が読み取った画像出力信号は、アンプ９に送られて増幅された後、Ａ／Ｄコンバータ１０によりデジタル画像信号に変換される。Ａ／Ｄコンバータ１０は、そのビット数分にイメージセンサ３Ｓのダイナミックレンジ（原稿上の真白部と真黒部の読取出力差）を分割して、原稿上の画像の明るさに応じて階調数を割り当てる。
【００２１】
例えば、分解能８ｂｉｔのＡ／Ｄコンバータを使用している場合は、白から黒に至る間を２５６の階調レベルに、１０ｂｉｔのＡ／Ｄコンバータの場合は、１０２４の階調レベルに識別することができる。従って、８ｂｉｔのＡ／Ｄコンバータを用いた画像読取装置では、ＲＧＢ３色の光源によるカラー読取により、２４ｂｉｔ＝約１６７０万色、１０ｂｉｔの場合は３０ｂｉｔ＝約１０億７４００万色を識別できる。
【００２２】
画像読取装置の画像信号の出力形態は数種類あり、読み取った画像の用途によってそれに適した出力形態を選択することができる。文章を読み取ってその内容をＯＣＲに掛ける場合やモノクロの線画を読み取る場合には、モノクロ二値の画像が適しており、上述のＲＧＢの光源のうち、例えば、Ｇだけを点灯して得た画像信号を、ゲートアレイ１１に組み込まれた画像処理回路にて、或る閾値にて二値化した画像データが使われる。
【００２３】
写真等の画像を読み取ってモノクロプリンタに出力する目的で画像を読み取る場合には、同じくＧ光源による画像信号を使用してディザ法や誤差拡散法といった中間調処理を用いて二値化した画像データが用いられる。カラー画像の処理を行なう場合には、多値（２４ｂｉｔ
ｅｔｃ．）画像データが適している。
【００２４】
上記画像処理回路を経た画像信号は、インタフェース回路１２を介してパソコン１３等の機器に出力される。
【図面の簡単な説明】
【００２５】
【図１】本発明の画像読取装置の原稿カバーを開いた斜視図である。
【図２】コンタクトイメージセンサの断面図である。
【図３】ブロック図である。
【図４】装置本体の略半分を薄くして、フィルムガイドを収納した断面図である。
【図５】キャリッジユニットの斜視図である。
【図６】フィルムガイドを収納した画像読取装置を裏面から見た図である。
【符号の説明】
【００２６】
１      装置本体
２      原稿台ガラス
３      コンタクトイメージセンサ
４      ガイドシャフト
１２０  フィルムガイド
【図１】
2006195300.tif 000003
【図２】
2006195300.tif 000004
【図３】
2006195300.tif 000005
【図４】
2006195300.tif 000006
【図５】
2006195300.tif 000007
【図６】
2006195300.tif 000008